(57)【要約】【課題】発光層に良好に紫外線を照射できると共に、紫外線発光部が邪魔にならず、且つ衝撃を受けて破損しないように紫外線発光部を設置できる。【解決手段】モジュール６６と機器ケース６０との間に保護ガラス６３の周縁部と対応して配置された見切り部材６７に紫外線発光素子３０を設けたので、この紫外線発光素子３０が邪魔にならず、しかも衝撃などを受けて破損しないように紫外線発光素子３０を設置することができると共に、紫外線発光素子３０からの紫外線領域の光をモジュール６６と保護ガラス６３との間に良好に照射させることができ、これにより発光層１５に確実に且つ良好に紫外線を照射でき、発光層１５を十分に発光させることができる。【選択図】      図１６
2007286075.tif 000002
【特許請求の範囲】
【請求項１】
窓部を有する機器ケースと、
この機器ケース内に少なくとも一部が前記窓部と対応して配置されたモジュールと、
このモジュールと前記機器ケースとの間に前記窓部の周縁部と対応して設けられている枠状部と、
この枠状部に設けられて紫外線領域の光を照射する紫外線発光部と、
少なくとも前記窓部に対応する前記モジュールの前記一部に設けられて前記紫外線発光部から照射された紫外線領域の光に反応して有色発光する発光層と
を備えたことを特徴とする電子機器。
【請求項２】
前記紫外線発光部は、前記枠状部における前記窓部の内面に接近した位置に設けられていることを特徴とする請求項１に記載の電子機器。
【請求項３】
前記枠状部は、透明な材料からなる枠状部材であり、その枠状部材の内部に空間部が設けられ、この空間部に前記紫外線発光部が配置されていることを特徴とする請求項１に記載の電子機器。
【請求項４】
前記モジュールは、指針および文字板により時刻を指示する機能を備え、前記指針および前記文字板に前記発光層が設けられていることを特徴する請求項１〜３のいずれかに記載の電子機器。
【請求項５】
前記モジュールは、液晶表示装置により情報を表示する機能を備え、少なくとも前記液晶表示装置に前記発光層が設けられていることを特徴する請求項１〜３のいずれかに記載の電子機器。
【請求項６】
窓部を有する機器ケースと、
この機器ケース内に前記窓部と対応して配置された液晶表示装置と、
この液晶表示装置の裏面側に配置されて紫外線領域の光を発光する紫外線発光部と、
前記液晶表示装置側に設けられて紫外線領域の光に反応して有色発光する発光層と
を備えたことを特徴とする電子機器。
【請求項７】
前記発光層は蓄光物質が混入されていることを特徴とする請求項１または６に記載の電子機器。
【請求項８】
一対の透明な電極基板間に液晶を封入してなる液晶セルと、
この液晶セルの上面に配置された紫外線透過型の上偏光板と、
前記液晶セルの下面に配置された紫外線透過型の下偏光板と、
この下偏光板の下側に配置された反射板と、
この反射板の上面に設けられて紫外線領域の光に反応して有色発光する発光層と
を備えたことを特徴とする液晶表示装置。
【請求項９】
窓部を有する機器ケースと、
この機器ケース内に前記窓部と対応して配置されたモジュールと、
前記機器ケース内に前記窓部の周縁部と対応して配置された紫外線領域の光を発光する紫外線発光部と、
前記モジュールに設けられて紫外線領域の光に反応して有色発光する発光層と、
前記窓部の表裏面の少なくとも一方に設けられ且つ前記紫外線発光部で発光した紫外線領域の光を反射してこれ以外の光を透過する紫外線反射膜と
を備えたことを特徴とする電子機器。
【請求項１０】
窓部を有する機器ケース内に少なくとも液晶表示装置を有するモジュールを前記窓部に対応させて配置した電子機器において、
前記液晶表示装置は、一対の透明な電極基板間に液晶を封入してなる液晶セルと、この液晶セルの上面および下面にそれぞれ配置された紫外線透過型の一対の偏光板と、前記液晶セルの下側に位置する前記偏光板の下側に配置された反射板とからなり、
前記機器ケース内に紫外線領域の光を発光する紫外線発光部を前記窓部の周縁部に対応させて配置し、
前記液晶表示装置の前記反射板上に紫外線領域の光に反応して有色発光する発光層を設け、
前記窓部の表裏面の少なくとも一方に前記紫外線発光部で発光した紫外線領域の光を反射してこれ以外の光を透過する紫外線反射膜を設けた
ことを特徴とする電子機器。
【請求項１１】
前記紫外線反射膜は、前記機器ケースの外部から前記窓部に入射する外部光のうち、紫外線領域の光のみを遮断することを特徴とする請求項９または１０に記載の電子機器。
【請求項１２】
前記紫外線反射膜は、薄膜の蒸着層を積層した構造であることを特徴とする請求項９〜１１のいずれかに記載の電子機器。
【請求項１３】
前記紫外線反射膜は、波長が４５０ｎｍ以上の紫外線領域外の光を９２％以上透過し、前記紫外線発光部からの紫外線領域の光を７０％〜９０％反射し、且つ前記機器ケースの外部から前記窓部に入射する紫外線領域の光のうち、波長が３００ｎｍ以下の光を９０％以上遮断し、好ましくは波長が４００ｎｍ以下の光を９８％程度遮断する構造であることを特徴とする請求項９〜１２のいずれかに記載の電子機器。
【請求項１４】
前記発光層は、前記紫外線発光部から遠ざかるに従って発光量が次第に多くなるように構成されていることを特徴とする請求項９〜１３のいずれかに記載の電子機器。
【請求項１５】
前記発光層は、前記紫外線発光部から遠ざかるに従って発光する可視光線領域の光の波長が次第に短くなるように構成されていることを特徴とする請求項１４に記載の電子機器。
【発明の詳細な説明】
【技術分野】
【０００１】
この発明は、腕時計や携帯電話機などの電子機器に関する。
【背景技術】
【０００２】
例えば、腕時計においては、文字板や指針などの時計部品に夜光塗料などの蓄光塗料を印刷などにより部分的に塗布して蓄光部を設けることにより、明るい所で蓄光部が外部光を受けてエネルギを蓄え、暗い所で蓄光部が蓄えたエネルギにより発光するようにしたものがある。
このような腕時計では、暗い所で蓄光部が短時間発光して時刻を知ることはできるが、使用者が希望するときに蓄光部を発光させたり、長時間発光させたりすることができない。
【０００３】
そこで、従来では、光源を用いて使用者が希望するときに蓄光部を発光させることが提案されている。
この種の腕時計としては、文字板の下側に導光板を配置し、この導光板の側面に光源を配置し、この光源からの光を導光板で導いて文字板の下面側に照射した構造のもの、あるいは文字板の上方に光源を配置した構造のものがある。
【発明の開示】
【発明が解決しようとする課題】
【０００４】
しかしながら、前者の腕時計では、光源からの光が弱くなり、文字板や指針に設けられた蓄光部に光のエネルギを十分に蓄えさせることができないという問題がある。
また、後者の腕時計では、光源の光を強くすれば、文字板や指針の蓄光部に光のエネルギを十分に蓄えさせることはできるが、文字板の上側が光源からの光で明るくなるため、蓄光部を設ける意味がなく、また光源を設置する場合、光源が文字板や指針の邪魔にならず、しかも衝撃を受けて破損しないように、光源を設置する必要があり、その設置構造が煩雑で、簡単に光源を設置することができないという問題がある。
【０００５】
この発明の課題は、発光層に良好に紫外線を照射できると共に、紫外線発光部が邪魔にならず、且つ衝撃を受けて破損しないように紫外線発光部を設置できるようにすることである。
また、この発明の他の課題は、発光層でバックライト機能を果たし、装飾性にも優れたものを得ることである。
さらに、この発明の他の課題は、紫外線発光部で発光した紫外線領域の光を損失することなく効率良く発光層に照射できるようにすることである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧とともに付す。
【０００７】
請求項１に記載の発明は、図１〜図２４に示すように、窓部（時計ガラス３、保護ガラス６３）を有する機器ケース（腕時計ケース１、機器ケース６０）と、この機器ケース内に少なくとも一部が前記窓部と対応して配置されたモジュール（時計モジュール６、４９、モジュール６６）と、このモジュールと前記機器ケースとの間に前記窓部の周縁部と対応して設けられている枠状部（見切り部材１２、６７）と、この枠状部に設けられて紫外線領域の光を照射する紫外線発光部（紫外線ランプ３０）と、少なくとも前記窓部に対応する前記モジュールの前記一部に設けられて前記紫外線発光部から照射された紫外線領域の光に反応して有色発光する発光層（１５）とを備えたことを特徴とする電子機器（腕時計、携帯電話機）である。
この発明によれば、モジュールと機器ケースとの間に窓部の周縁部と対応して配置された枠状部材に紫外線発光部を設けたので、紫外線発光部が邪魔にならず、しかも衝撃などを受けて破損しないように紫外線発光部を設置することができると共に、紫外線発光部からの紫外線領域の光をモジュールと窓部との間に良好に照射させることができ、これにより発光層に確実に且つ良好に紫外線を照射でき、発光層を十分に発光させることができる。
【０００８】
また、請求項２に記載の発明は、図１６に示すように、前記紫外線発光部（紫外線ランプ３０）が前記枠状部（見切り部材１２）における前記窓部の内面に接近した位置に設けられていることにより、より一層、良好にモジュールと窓部との間に紫外線領域の光を照射させることができる。
請求項３に記載の発明は、図１８（ａ）および図１８（ｂ）に示すように、前記枠状部（見切り部材１２）が透明な材料からなる枠状部材であり、その枠状部材の内部に空間部（凹部３２、空間部３３）が設けられ、この空間部に前記紫外線発光部（紫外線ランプ３０）が配置されていることにより、請求項１に記載された発明よりも、より一層、紫外線発光部が邪魔にならず、しかも衝撃などを受けて破損しないように、紫外線発光部を設置することができる。
【０００９】
さらに、請求項４に記載の発明は、図１６に示すように、前記モジュール（時計モジュール６）が、指針（１１）および文字板（５）により時刻を指示する機能を備え、前記指針および前記文字板に前記発光層（１５）が設けられていることにより、紫外線発光部からの紫外線に発光部が反応して有色発光するので、暗い所でも容易に時刻を知ることができる。
請求項５に記載の発明は、図２０〜図２３に示すように、前記モジュール（時計モジュール４０、モジュール６６）が、液晶表示装置（４１）により情報を表示する機能を備え、少なくとも前記液晶表示装置に前記発光層（１５）が設けられていることにより、紫外線発光部からの紫外線に発光部が反応して有色発光するので、暗い所でも容易に時刻を視認することができる。
【００１０】
また、請求項６に記載の発明は、図２１に示すように、窓部（時計ガラス３）を有する機器ケース（腕時計ケース１）と、この機器ケース内に前記窓部と対応して配置された液晶表示装置（５０）と、この液晶表示装置の裏面側に配置されて紫外線領域の光を発光する紫外線発光部（紫外線発光装置５１）と、前記液晶表示装置に設けられて紫外線領域の光に反応して有色発光する発光層（１５）とを備えたことを特徴とする電子機器（腕時計）である。
この発明によれば、紫外線発光部を点灯させて紫外線領域の光を発光させると、その紫外線領域の光により発光層が反応して有色発光するので、この発光層の有色発光により液晶表示装置を照明することができ、これにより発光層でバックライト機能を果たすことができ、且つこの発光層の有色発光により装飾性にも優れたものを得ることができる。
【００１１】
請求項７に記載の発明は、図１１に示すように、前記発光層（１５）に蓄光物質（１７）が混入されていることにより、発光層中の蓄光物質が発光層の発光時の光によりエネルギを蓄え、紫外線発光部が消灯した後に、蓄光物質が残光として発光するので、残光機能をもたせることができ、これによっても装飾性の高いものを得ることができると共に、紫外線発光部を間歇的に発光させる時間間隔を長くすることができ、消費電力の低減化をも図ることができる。
【００１２】
請求項８に記載の発明は、図２０〜図２９に示すように、一対の透明な電極基板（４２、４３）間に液晶を封入してなる液晶セル（８７）と、この液晶セルの上面に配置された紫外線透過型の上偏光板（４４）と、前記液晶セルの下面に配置された紫外線透過型の下偏光板（４５）と、この下偏光板の下側に配置された反射板（４６）と、この反射板の上面に設けられて紫外線領域の光に反応して有色発光する発光層（１５）とを備えたことを特徴とする液晶表示装置（８６）である。
この発明によれば、上偏光板と下偏光板が紫外線透過型であるから、紫外線領域の光を含む光が上偏光板から入射すると、その光が上偏光板、液晶セル、および下偏光板を透過し、この透過した光のうち、紫外線領域外の光、例えば可視光線領域の光は発光層を透過して反射板で反射されるので、この反射された光によって液晶セルを照明することができ、また紫外線領域の光は発光層に照射されると、この紫外線領域の光に発光層が反応して有色発光するので、この発光層の有色発光により液晶セルを照明することができ、このため上偏光板から入射する光が紫外線領域外の可視光線領域の光であっても、また紫外線領域の光であっても、良好に液晶セルを照明することができる。
【００１３】
請求項９に記載の発明は、図１６〜図２９に示すように、窓部（時計ガラス３、保護ガラス６３）を有する機器ケース（腕時計ケース１、機器ケース６０）と、この機器ケース内に前記窓部と対応して配置されたモジュール（時計モジュール６、４０、８０、モジュール６６）と、前記機器ケース内に前記窓部の周縁部と対応して配置された紫外線領域の光を発光する紫外線発光部（紫外線発光素子３０、８１）と、前記モジュールに設けられて紫外線領域の光に反応して有色発光する発光層（１５）と、前記窓部の表裏面の少なくとも一方に設けられ且つ前記紫外線発光部で発光した紫外線領域の光を反射してこれ以外の光を透過する紫外線反射膜（８２）とを備えたことを特徴とする電子機器である。
この発明によれば、紫外線発光部を発光させると、その紫外線領域の光が機器ケース内に放射され、その一部の光がモジュールの発光層に直接照射されると共に、他の一部の光が窓部の紫外線反射膜で反射されて発光層に照射されるので、紫外線発光部で発光した紫外線領域の光を損失することなく効率良く発光層に照射させることができ、これにより発光層を十分に発光させることができる。
【００１４】
請求項１０に記載の発明は、図２０〜図２９に示すように、窓部（時計ガラス３、保護ガラス６３）を有する機器ケース（腕時計ケース１、機器ケース６０）内に少なくとも液晶表示装置（４１、８６）を有するモジュール（時計モジュール４０、８０）を前記窓部に対応させて配置した電子機器において、前記液晶表示装置は、一対の透明な電極基板（４２、４３）間に液晶を封入してなる液晶セル（８７）と、この液晶セルの上面および下面にそれぞれ配置された紫外線透過型の一対の偏光板（４４、４５）と、前記液晶セルの下側に位置する前記偏光板の下側に配置された反射板（４６）とからなり、前記機器ケース内に紫外線領域の光を発光する紫外線発光部（紫外線発光素子３０、８１）を前記窓部の周縁部に対応させて配置し、前記液晶表示装置の前記反射板上に紫外線領域の光に反応して有色発光する発光層（１５）を設け、前記窓部の表裏面の少なくとも一方に前記紫外線発光部で発光した紫外線領域の光を反射してこれ以外の光を透過する紫外線反射膜（８２）を設けたことを特徴とする電子機器である。
【００１５】
この発明によれば、液晶表示装置の一対の偏光板が紫外線透過型で、且つ反射板の上面に発光層を設けているので、請求項８に記載の発明と同様、可視光線領域の光であっても、紫外線領域の光であっても、良好に液晶セルを照明することができ、また機器ケースの窓部に紫外線反射膜を設けているので、請求項９に記載の発明と同様、紫外線発光部で発光した紫外線領域の光を損失することなく効率良く発光層に照射させることができ、これにより発光層を十分に発光させて液晶セルを明るく照明することができる。
【００１６】
請求項１１に記載の発明は、図２６および図２８に示すように、前記紫外線反射膜（８２）が、前記機器ケース（腕時計ケース１）の外部から前記窓部（時計ガラス３）に入射する外部光のうち、紫外線領域の光のみを遮断することを特徴とする請求項９または１０に記載の電子機器である。
この発明によれば、請求項９または１０に記載の発明と同様の作用効果があるほか、特に機器ケースの外部から窓部に入射する外部光のうち、紫外線領域の光のみを紫外線反射膜が遮断するので、外部光に含まれている紫外線領域の光が機器ケース内の発光層に照射されることがないばかりか、特に波長の短い有害な紫外線領域の光が機器ケース内に入射するのを防ぐことができ、これにより液晶表示装置の液晶層の劣化を防ぐことができる。
【００１７】
請求項１２に記載の発明は、図２８に示すように、前記紫外線反射膜（８２）が、薄膜の蒸着層を積層した構造であることを特徴とする請求項９〜１１のいずれかに記載の電子機器である。
この発明によれば、紫外線反射膜が蒸着層を積層させた構造であるから、蒸着層の積層数、蒸着層の層厚を適宜選択することにより、紫外線領域の光の反射率および紫外線領域外の可視光線などの光の透過率を最適に設定することができる。例えば、蒸着層の積層数を多くすると、紫外線領域の光の反射率が高くなり、また蒸着層の層厚を厚くしても、紫外線領域の光の反射率が高くなるので、これらを組み合わせることにより最適な反射率を得ることができる。
【００１８】
請求項１３に記載の発明は、図２８に示すように、前記紫外線反射膜（８２）が、波長４５０ｎｍ以上の紫外線領域外の光を９２％以上透過し、前記紫外線発光部（紫外線発光素子８１）からの紫外線領域の光を７０％〜９０％反射し、且つ前記機器ケース（腕時計ケース１）の外部から前記窓部（時計ガラス３）に入射する紫外線領域の光のうち、３００ｎｍ以下の波長の光を９０％以上遮断し、好ましくは４００ｎｍ以下の波長の光を９８％程度遮断する構造であることを特徴とする請求項９〜１２のいずれかに記載の電子機器である。
この発明によれば、紫外線発光部で発光した紫外線領域の光を紫外線反射膜が７０％〜９０％反射するので、紫外線発光部で発光した紫外線領域の光を効率良く反射して十分に発光層に照射することができ、また外部からの紫外線領域の光のうち、３００ｎｍ以下の波長の光を９０％以上遮断し、好ましくは４００ｎｍ以下の波長の光を９８％程度遮断するので、外部からの紫外線領域の光をほぼ確実にカットすることができ、しかも波長４５０ｎｍ以上の紫外線領域外の光を９２％以上透過するので、紫外線反射膜を透過した紫外線領域外の光によって機器ケースの内部を良好に照明することができる。
【００１９】
請求項１４に記載の発明は、図１３および図２５に示すように、前記発光層（１５）を、前記紫外線発光部（紫外線発光素子８１）から遠ざかるに従って発光量が次第に多くなるように構成したことを特徴とする請求項９〜１３のいずれかに記載の電子機器である。
この発明によれば、紫外線発光部の近傍の発光層に紫外線領域の光の照射量が多くても、その発光層による発光量が少なく、紫外線発光部から遠ざかるに従って紫外線領域の光の照射量が少なくても、発光層による発光量が多くなるので、紫外線発光部の近傍であっても、また紫外線発光部から離れていても、ほぼ均一な明るさで発光させることができる。
【００２０】
請求項１５に記載の発明は、図２５に示すように、前記発光層（１５）を、前記紫外線発光部（紫外線発光素子８１）から遠ざかるに従って発光する可視光線領域の光の波長が次第に短くなるように構成したことを特徴とする請求項１４に記載の電子機器である。
この発明によれば、紫外線発光部の近傍では発光層で発光する可視光線領域の光の波長が長い赤色系で、紫外線発光部から遠ざかるに従って、発光層で発光する可視光線領域の光の波長が次第に短くなる緑色系、青色系の順で発光させることにより、紫外線発光部の近傍であっても、また紫外線発光部から離れていても、ほぼ均一な明るさで発光させることができるほか、発光層で発光する光を色分けすることができ、これにより装飾性に優れたものを得ることができる。
【発明の効果】
【００２１】
以上説明したように、請求項１に記載の発明によれば、モジュールと機器ケースとの間に窓部の周縁部と対応して設けられている枠状部に紫外線発光部を設けたので、紫外線発光部が邪魔にならず、しかも衝撃などを受けて破損しないように紫外線発光部を設置することができると共に、紫外線発光部からの紫外線領域の光をモジュールと窓部との間に良好に照射させることができ、これにより発光層に確実に且つ良好に紫外線を照射でき、発光層を十分に発光させることができる。この場合、紫外線発光部は、枠状部における窓部の内面に接近した位置に設けられていることにより、より一層、良好にモジュールと窓部との間に紫外線領域の光を照射させることができる。
【００２２】
また、枠状部は、透明な材料からなる枠状部材であり、その枠状部材の内部に空間部が設けられ、この空間部に紫外線発光部が配置されていることにより、請求項１に記載された発明よりも、より一層、紫外線発光部が邪魔にならず、しかも衝撃などを受けて破損しないように、紫外線発光部を設置することができる。また、モジュールは、指針および文字板により時刻を指示する機能を備え、指針および文字板に発光層が設けられていることにより、紫外線発光部からの紫外線に発光部が反応して有色発光するので、暗い所でも容易に時刻を知ることができる。さらに、モジュールは、液晶表示装置により情報を表示する機能を備え、少なくとも液晶表示装置に発光層が設けられていることにより、紫外線発光部からの紫外線に発光部が反応して有色発光するので、暗い所でも容易に時刻を視認することができる。
【００２３】
請求項６に記載の発明によれば、紫外線発光部を点灯させて紫外線領域の光を発光させると、その紫外線領域の光により発光層が反応して有色発光するので、この発光層の有色発光により液晶表示装置を照明することができ、これにより発光層でバックライト機能を果たすことができ、且つこの発光層の有色発光により装飾性にも優れたものを得ることができる。この場合、発光層は蓄光物質が混入されていることにより、発光層中の蓄光物質が発光層の発光時の光によりエネルギを蓄え、紫外線発光部が消灯した後に、蓄光物質が残光として発光するので、残光機能をもたせることができ、これによっても装飾性の高いものを得ることができると共に、紫外線発光部を間歇的に発光させる時間間隔を長くすることができ、消費電力の低減化をも図ることができる。
【００２４】
請求項８に記載の発明によれば、一対の透明な電極基板間に液晶を封入してなる液晶セルの上面と下面とに紫外線透過型の上偏光板と紫外線透過型の下偏光板とを配置し、この下偏光板の下側に配置された反射板の上面に紫外線領域の光に反応して有色発光する発光層を設けた液晶表示装置であるから、紫外線領域の光を含む光が上偏光板から入射すると、その光が上偏光板、液晶セル、および下偏光板を透過し、この透過した光のうち、紫外線領域外の光、例えば可視光線領域の光は発光層を透過して反射板で反射されるので、この反射された光によって液晶セルを照明することができ、また紫外線領域の光は発光層に照射されると、この紫外線領域の光に発光層が反応して有色発光するので、この発光層の有色発光により液晶セルを照明することができ、このため上偏光板から入射する光が紫外線領域外の可視光線領域などの光であっても、また紫外線領域の光であっても、良好に液晶セルを照明することができる。
【００２５】
請求項９に記載の発明によれば、窓部を有する機器ケース内にモジュールを窓部と対応させて配置すると共に、紫外線発光部を窓部の周縁部と対応させて配置し、且つモジュールに紫外線領域の光に反応して有色発光する発光層を設け、窓部の表裏面の少なくとも一方に紫外線発光部で発光した紫外線領域の光を反射してこれ以外の光を透過する紫外線反射膜を設けたので、紫外線発光部で発光した紫外線領域の光のうち、一部の光がモジュールの発光層に直接照射されると共に、他の一部の光が窓部の紫外線反射膜で反射されて発光層に照射されるので、紫外線発光部で発光した紫外線領域の光を損失することなく効率良く発光層に照射させることができ、これにより発光層を十分に発光させることができる。
【００２６】
この場合、紫外線反射膜が機器ケースの外部から窓部に入射する外部光のうち、紫外線領域の光のみを遮断するので、外部光に含まれている波長の短い有害な紫外線領域の光が機器ケース内に入射するのを防ぐことができ、これにより液晶表示装置の液晶層が紫外線によって劣化するのを防ぐことができる。また、紫外線反射膜が薄膜の蒸着層を積層した構造であれば、蒸着層の積層数、蒸着層の層厚を適宜選択することにより、紫外線領域の光の反射率を最適な状態に設定することができる。すなわち、蒸着層の積層数を多くすると、紫外線領域の光の反射率が高くなり、また蒸着層の層厚を厚くしても、紫外線領域の光の反射率が高くなるので、これらを組み合わせることにより最適な反射率を得ることができる。
【００２７】
例えば、紫外線反射膜が、波長４５０ｎｍ以上の紫外線領域外の光を９２％以上透過し、紫外線発光部からの紫外線領域の光を７０％〜９０％反射し、機器ケースの外部から窓部に入射する紫外線領域の光のうち、３００ｎｍ以下の波長の光を９０％以上遮断し、好ましくは４００ｎｍ以下の波長の光を９８％程度遮断する構造であれば、紫外線発光部で発光した紫外線領域の光を紫外線反射膜が７０％〜９０％反射するので、紫外線発光部で発光した紫外線領域の光を効率良く反射して十分に発光層に照射することができ、また外部からの紫外線領域の光のうち、３００ｎｍ以下の波長の光を９０％以上遮断し、好ましくは４００ｎｍ以下の波長の光を９８％程度遮断するので、外部からの紫外線領域の光をほぼ確実にカットすることができ、しかも波長４５０ｎｍ以上の紫外線領域外の光を９２％以上透過するので、紫外線反射膜を透過した紫外線領域外の光によって機器ケースの内部を良好に照明することができる。
【００２８】
また、紫外線発光部から遠ざかるに従って発光量が次第に多くなるように、発光層を構成することにより、紫外線発光部の近傍の発光層に対する紫外線領域の光の照射量が多くても、その発光層による発光量が少なく、紫外線発光部から遠ざかるに従って紫外線領域の光の照射量が少なくても、発光層による発光量が多くなるので、紫外線発光部の近傍であっても、また紫外線発光部から離れていても、ほぼ均一な明るさで発光させることができる。この場合、紫外線発光部から遠ざかるに従って発光する光の波長が次第に短くなるように、発光層を構成することにより、紫外線発光部の近傍では発光層で発光する光の波長が長い赤色系で発光させ、紫外線発光部から遠ざかるに従って、発光層で発光する可視光線領域の光の波長が次第に短くなる緑色系、青色系の順で発光させることができ、これにより紫外線発光部の近傍であっても、また紫外線発光部から離れていても、ほぼ均一な明るさで発光させることができるほか、発光層で発光する光を色分けすることができ、これにより装飾性に優れたものを得ることができる。
【発明を実施するための最良の形態】
【００２９】
［第１実施形態］
以下、図１〜図７を参照して、この発明を腕時計に適用した第１実施形態について説明する。
図１は腕時計の一部省略側面図、図２は図１における時計バンドを除く腕時計ケースの拡大平面図、図３はその内部構造を示した要部の拡大断面図である。
この腕時計は、機器ケースとなる腕時計ケース１を備えている。この腕時計ケース１の上部外周には、図２に示すように、ベゼル２が設けられており、この腕時計ケース１の上部中央に設けられている窓部１ａには、図３に示すように、時計ガラス３がパッキン４を介して装着されている。また、この腕時計ケース１の内部には、文字板５と時計モジュール６とが収納されており、この腕時計ケース１の下面には、裏蓋７が防水リング８を介して取り付けられている。さらに、腕時計ケース１の１２時側と６時側には、図１に示すように、時計バンド９が取り付けられている。
【００３０】
時計モジュール６は、アナログ機能とデジタル機能のうち、少なくともアナログ機能を備え、図３に示すように、文字板５の上方に指針軸１０が突出し、この突出した指針軸１０の上端部に取り付けられた時針、分針などの指針１１が運針するように構成されている。また、腕時計ケース１の内周面には、見切り部材１２が文字板５の周縁部の上面と時計ガラス３の周縁部の下面とに当接して設けられている。
文字板５は、円形状の平板で、その中心部に指針軸１０が挿入する貫通孔１３が設けられていると共に、その上面における外周縁に時字１４が設けられ、その上方を指針１１が運針するように構成されている。
【００３１】
ところで、この腕時計の時計部品であるベゼル２、時計ガラス３、文字板５、指針１１、見切り部材１２、および時計バンド９には、それぞれ発光層１５が設けられている。例えば、時計ガラス３は、図４に示すように、その上面における外周部および中央の所定個所（例えばマーク部分）に発光層１５が設けられている。また、文字板５は、図５に示すように、その上面における所定個所（例えばマーク部分）および時字１４の上面に発光層１５が設けられている。指針１１は、図６に示すように、その上面全域に発光層１５が設けられている。さらに、ベゼル２および時計バンド９は、図１および図２に示すように、その各上面のほぼ全域に発光層１５が設けられている。
【００３２】
これら発光層１５は、３５０〜４２０ｎｍ（ナノメートル：ナノは１０億分の１メートル）または２５４〜３６５ｎｍの紫外線領域の光の波長に反応して有色発光し、紫外線領域の光が照射されないときに透明な状態を呈するものであり、図７に示すように、その層厚が波形状に変化して各時計部品（図７では文字板５を示す）の上面に塗布された上、透明なオーバーコート膜１６によって覆われ、この状態で紫外線領域の光が照射されると、その層厚の変化に応じて発光色に濃淡が生じるように構成されている。また、これら発光層１５の発光色は、緑（黄色）、青、赤を基本とし、その色バリエーションが１０〜１３種類ある。この場合、各発光層１５の発光色は、各時計部品とも全て同じ色であっても良いが、時刻を視認しやすくするために、少なくとも文字板５および時計ガラス３の各発光層１５と指針１１の発光層１５とは、異なる発光色であることが望ましい。例えば、指針１１の発光層１５は赤系色で発光し、文字板５および時計ガラス３の各発光層１５は青系色で発光することが望ましい。
【００３３】
このような腕時計によれば、紫外線領域の光がほとんど当らない屋内などの所では、各時計部品、つまりベゼル２、時計ガラス３、文字板５、指針１１、見切り部材１２、および時計バンド９にそれぞれ設けられた発光層１５が透明であるから、各発光層１５により各時計部品の表面（生地色）が影響を受けることがなく、各時計部品の表面がそのまま透けて見る。また、紫外線領域の光が当る屋外などの所では、透明な発光層１５が紫外線領域の光に反応して有色発光するので、ベゼル２、時計ガラス３、文字板５、指針１１、見切り部材１２、および時計バンド９などの各時計部品がそれぞれ光って見える。
【００３４】
このときには、指針１１の発光層１５と文字板５および時計ガラス３の各発光層１４とが異なる色、例えば指針１１の発光層１５が赤系色で発光し、文字板５および時計ガラス３の各発光層１５が青系色で発光することにより、容易に時刻を視認することができる。特に、各発光層１５は、図７に示すように、その層厚が波形状に変化していることにより、その層厚の変化に応じて発光色に濃淡が生じるので、各発光層１５により発光色の濃淡を表現することができ、これによりグラデーションなどの微妙な表現が可能になり、装飾効果の高いものを得ることができる。この場合、各発光層１５は、透明なオーバーコート膜１６で覆われて保護されているので、各発光層１５の耐久性を向上させることができると共に、時計部品となる被加工物に発光層１５が影響されないため、各時計部品の材料を自由に選定することができる。
【００３５】
なお、上記第１実施形態では、文字板５の上面側に発光層１５を部分的に設け、指針１１の上面全域に発光層１５を設け、時計ガラス３の上面に発光層１５を部分的に設けたが、これに限らず、例えば図８（ａ）に示すように文字板５の上面全体に発光層１５を設け、図８（ｂ）に示すように、指針１１の一部のみに発光層１５を設け、時計ガラス３の上面全域に発光層１５を設けても良い。この場合にも、文字板５および時計ガラス３の各発光層１５と指針１１の発光層１５とは、異なる色で発光するように構成すれば良い。このように構成しても、第１実施形態と同様の作用効果がある。
【００３６】
また、上記第１実施形態では、時計ガラス３と文字板５との各上面、および見切り部材１２の表面にそれぞれ発光層１５を設けたが、これに限らず、例えば図９に示すように、時計ガラス３の下面、文字板５が透明であればその下面にそれぞれ発光層１５を設けても良く、また見切り部材１２が透明であればその内面に発光層１５を設けても良い。さらに、図１０に示すように、時計ガラス３が２枚のガラス板３ａ、３ｂを貼り合わせた構造の場合には、２枚のガラス板３ａ、３ｂ間に発光層１５を挟んだ構造でも良い。このようないずれの構造においても、第１実施形態と同様の作用効果がある。
【００３７】
さらに、上記第１実施形態では、各発光層１５の層厚を波形状に変化させて形成した場合について述べたが、これに限らず、例えば階段状に変化するように形成しても良く、また図１１に示すように、発光層１５中に蓄光物質１７を混入させても良い。このように蓄光物質１７を混入させた場合には、発光層１５中の蓄光物質１７が発光層１５の発光時の光によりエネルギを蓄え、紫外線領域の光が照射された後に、蓄光物質１７が残光として発光するので、残光機能をもたせることができ、これによっても装飾性の高いものを得ることができる。
【００３８】
［第２実施形態］
次に、図１２を参照して、この発明を腕時計に適用した第２実施形態について説明する。なお、図１〜図１１に示された第１実施形態およびその各変形例と同一部分には同一符号を付して説明する。
この腕時計は、文字板５の上面に積層構造の透明な発光層２０を設けた構造で、これ以外は第１実施形態とほぼ同じ構造になっている。
すなわち、この透明な発光層２０は、紫外線領域の光に反応して異なる色で発光する第１〜第３発光膜２１〜２３を積層した構造で、文字板５の上面のうち、所定個所（例えばマーク部分）および、または時字１４の上面に設けられている。
【００３９】
この場合、第１〜第３発光膜２１〜２３は、紫外線領域の光（波長３５０〜４２０ｎｍ）に反応してそれぞれ異なる色で発光し、紫外線領域の光が照射されないときに透明な状態を呈するものであり、その発光色は、それぞれ緑（黄色）、青、赤を基本とし、その色バリエーションが１０〜１３種類ある。例えば、第１発光膜２１は緑（黄色）系色で発光し、第２発光膜２２は青系色で発光し、第３発光膜２３は赤系色で発光するように構成されている。これにより、発光層２０は、第１〜第３発光膜２１〜２３の各発光色が混合した発光色（混合色）で全体が発光するように構成されている。なお、この場合にも、発光層２０は、透明なオーバーコート膜１６で覆われている。
【００４０】
このような腕時計によれば、紫外線領域の光がほとんど当らない屋内などの所では、文字板５に設けられた発光層２０が透明であるから、発光層２０により文字板５の表面（生地色）が影響を受けることがなく、文字板５の表面がそのまま透けて見る。また、紫外線領域の光が当る屋外などの所では、発光層２０の第１〜第３発光膜２１〜２３が紫外線領域の光にそれぞれ反応して異なる色で発光し、これらの異なる発光色が混合するので、発光層２０全体を微妙な色合いで発光させることができ、これにより文字板５の所定個所が微妙な色合いの混合色で光って見える。
【００４１】
このときには、紫外線領域の光の波長またはその光強度に応じて第１〜第３発光膜２１〜２３の反応がそれぞれ異なり、これに伴って第１〜第３発光膜２１〜２３の各発光色の輝度が変化するので、発光層２０全体の混合色も紫外線領域の光の波長またはその光強度に応じて微妙に変化する。このため、紫外線領域の光の波長またはその光強度に応じて発光層２０全体の発光色が微妙に変化するので、発光層２０全体の微妙な色変化を表現することができ、これにより装飾効果の高いものを得ることができる。
【００４２】
なお、上記第２実施形態では、発光層２０が３層構造であるが、これに限らず、２層構造であっても良く、また４層以上の構造であっても良い。
また、上記第２実施形態では、発光層２０を文字板５に設けたが、これに限らず、第１実施形態と同様、ベゼル２、時計ガラス３、指針１１、見切り部材１２、および時計バンド９などの各時計部品に設けても良い。この場合にも、指針１１の発光層２０の発光色（混合色）と文字板５および時計ガラス３の各発光層２０の発光色（混合色）とは異なる色であることが望ましい。
【００４３】
さらに、上記第２実施形態においても、図１１に示した第１実施形態の変形例と同様、発光層２０中に蓄光物質１７を混入させても良い。このように蓄光物質１７を混入させた場合には、発光層２０中の蓄光物質１７が発光層１５の発光時の光によりエネルギを蓄え、紫外線領域の光が照射された後に、蓄光物質１７が残光として発光するので、残光機能をもたせることができ、これによっても装飾性の高いものを得ることができる。
【００４４】
［第３実施形態］
次に、図１３および図１４を参照して、この発明を腕時計に適用した第３実施形態について説明する。この場合にも、図１〜図１１に示された第１実施形態およびその各変形例と同一部分に同一符号を付して説明する。
この腕時計は、文字板５の上面に点状発光部２６を配列してなる透明な発光層２５を設けた構造で、これ以外は第１実施形態とほぼ同じ構造になっている。
すなわち、この透明な発光層２５は、多数の点状発光部２６を印刷によりドット状に配列させた構造になっている。
【００４５】
この場合、点状発光部２６は、紫外線領域の光（波長３５０〜４２０ｎｍ）に反応して異なる色で発光し、紫外線領域の光が照射されないときに透明な状態を呈するものであり、その発光色は、それぞれ緑（黄色）、青、赤を基本とし、その色バリエーションが１０〜１３種類ある。そして、これら点状発光部２６は、発光色を適宜選択して所定の図形、例えば図１４に示すようなクジラの図形をカラーで表現するように配列されている。なお、この場合にも、発光層２５である各点状発光部２６は、透明なオーバーコート膜１６で覆われている。
【００４６】
このような腕時計によれば、紫外線領域の光がほとんど当らない屋内などの所では、文字板５に設けられた発光層２５の各点状発光部２６が透明であるから、発光層２５により文字板５の表面（生地色）が影響を受けることがなく、文字板５の表面がそのまま透けて見る。また、紫外線領域の光が当る屋外などの所では、発光層２５の各点状発光部２６が紫外線領域の光にそれぞれ反応して選択された異なる色で発光するので、図１４に示すようなクジラの図形をカラーで表現することができ、これにより装飾効果の高いものを得ることができる。
【００４７】
なお、上記第３実施形態では、発光層２５を文字板５に設けたが、これに限らず、第１実施形態およびその変形例と同様、ベゼル２、時計ガラス３、指針１１、見切り部材１２、および時計バンド９などの各時計部品に設けても良い。
また、上記第３実施形態においても、図１１に示した第１実施形態の変形例と同様、発光層２５の各点状発光部２６中に蓄光物質１７を混入させても良い。このように蓄光物質１７を混入させた場合には、各点状発光部２６中の蓄光物質１７が各点状発光部２６の発光時の光によりエネルギを蓄え、紫外線領域の光が照射された後に、蓄光物質１７が残光として発光するので、残光機能をもたせることができ、これによっても装飾性の高いものを得ることができる。
【００４８】
また、上記第１〜第３実施形態では、各発光層１５、２０、２５を時計部品の表面に直接設けた場合について述べたが、これに限らず、例えば図１５に示すように、時計部品である文字板５の上面にプライマとしてのアンダーコート膜２７を設け、このアンダーコート膜２７の上面に各発光層１５、２０、２５を設けても良い。このように構成すれば、アンダーコート膜２７がプライマ機能を果たすので、耐食性および付着性を向上させることができ、このため文字板５が金属であっても合成樹脂であっても、確実に各発光層１５、２０、２５を設けることができる。この場合にも、図示しないが、各発光層１５、２０、２５は、透明なオーバーコート膜１６で覆われていることが望ましい。
【００４９】
［第４実施形態］
次に、図１６および図１７を参照して、この発明を腕時計に適用した第４実施形態について説明する。この場合にも、図１〜図１１に示された第１実施形態およびその各変形例と同一部分に同一符号を付して説明する。
この腕時計は、図１６および図１７に示すように、腕時計ケース１内に紫外線を発光する紫外線発光素子３０を設けた構造で、これ以外は第１実施形態とほぼ同じ構造になっている。
【００５０】
すなわち、紫外線発光素子３０は、波長が３６５ｎｍ付近または２５４〜３６５ｎｍの紫外線を発光する紫外線灯（ブラックライトと呼ばれる）または紫外線発光ダイオード（ＬＥＤ）などの発光素子から構成されている。この紫外線発光素子３０は、紫外線発光部を構成している。
この紫外線発光素子３０は、腕時計ケース１内における保護部材または緩衝部材としての機能も兼備している枠状部材である見切り部材１２の１２時側と６時側における各上部に設けられた空間部である凹部３１内に配置されている。この紫外線発光素子３０は、発光した紫外線を文字板５および指針１１に斜め上方から照射させるように構成されている。前述した枠状部材である見切り部材１２は、モジュール６と機器ケースである時計ケース１との間に、前記窓部１ａの周縁部と対応して配置されている。
【００５１】
腕時計ケース１内における保護部材または緩衝部材としての機能も兼備している見切り部材１２に形成された凹部３１内に紫外線発光素子３０をそれぞれ配置しているので、これら紫外線発光素子３０は、時計ガラス３方向からの外部衝撃があった場合でも、保護部材または緩衝部材としての機能も兼備する見切り部材１２にの保護作用または緩衝作用により、その衝撃から保護または緩衝されるようになっている。なお、この例では、紫外線発光素子３０の上面と側面との双方に、緩衝材４ａ、４ｂを配置しているので、外部からの衝撃から紫外線発光素子３０を更に保護することができるようになっている。
なお、これら紫外線発光素子３０を見切り部材１２の１２時側と６時側との２カ所に設けているのは、この例では、３時側と９時側とにそれぞれスイッチ類が設けられているので、それらスイッチ類が設けられていない１２時側と６時側との２カ所に設けているが、３時側と９時側とにそれぞれスイッチ類が設けられていない場合には、その３時側と９時側とにこれら紫外線発光素子を設けるようにしても良い。
【００５２】
この場合、見切り部材１２の凹部３１は、時計ガラス３の下面と見切り部材１２の上部との間に位置し、これにより紫外線発光素子３０を文字板５および指針１１よりも上方に配置する。また、文字板５および指針１１の各上面には、第１実施形態と同様、紫外線領域の光に反応して有色発光する発光層１５が設けられている。この場合にも、文字板５の発光層１５と指針１１の発光層１５とはそれぞれ異なる色で発光するように構成されている。また、これら発光層１５は、図７に示したように、その層厚が波形状に変化して形成され、これにより紫外線領域の光が照射されたときに、その層厚に応じて発光色に濃淡が生じるように構成されている。これら発光層１５は、図１５に示すように、文字板５の平坦な上面に設けられている構成でも良い。
【００５３】
このような腕時計によれば、第１実施形態と同様、紫外線領域の光がほとんど当らない屋内などの所では、文字板５および指針１１の表面が透明な発光層１５を通してそのまま透けて見え、また紫外線領域の光が当る屋外などの所では、文字板５および指針１１の各発光層１５がそれぞれ発光して光って見える。特に、紫外線領域の光がほとんど当らない屋内などの所では、紫外線発光素子３０を点灯させて紫外線を発生させると、その紫外線により各発光層１５が反応して有色発光するので、文字板５および指針１１の各発光層１５を強制的に発光させることができ、これにより所望する場所で自由に発光層１５を発光させることができる。
このように各発光層１５が発光したときには、第１実施形態と同様、文字板５の発光層１５と指針１１の発光層１５とが異なる色で発光するので、暗い所でも時刻を知ることができると共に、各発光層１５の層厚が波形状に変化していることにより、その層厚の変化に応じて発光色に濃淡が生じるので、各発光層１５による発光色の濃淡を表現することができ、これにより装飾効果の高いものを得ることができる。
【００５４】
また、この腕時計では、文字板５と時計ガラス３との間に時計ガラス３の周縁部と対応して配置された見切り部材１２に紫外線発光素子３０を設けたので、紫外線発光素子３０が文字板５および指針１１の邪魔にならず、しかも見切り部材１２により紫外線発光素子３０が衝撃などを受けて破損しないように保護することができ、また紫外線発光素子３０から紫外線を文字板５と時計ガラス３との間に良好に照射させることができ、これにより発光層１５に確実に且つ良好に紫外線を照射でき、発光層１５を十分に発光させることができる。この場合、紫外線発光素子３０が見切り部材１２の上部における時計ガラス３の下面に接近して設けられているので、より一層、良好に文字板５と時計ガラス３との間に紫外線を照射させることができる。
【００５５】
なお、上記第４実施形態では、文字板５および指針１１に発光層１５を設けたが、これに限らず、第１実施形態およびその変形例と同様、ベゼル２、時計ガラス３、見切り部材１２、および時計バンド９などの各時計部品に設けても良い。
また、上記第４実施形態では、発光層１５がその層厚を波形状に変化させた構造であるが、これに限らず、例えば第２実施形態のように、複数の発光膜２１〜２３を積層してなる発光層２０であっても良く、また第３実施形態のように、点状発光部２６をドット状に配列した発光層２５であっても良い。
【００５６】
この場合にも、各発光層１５、２０、２５は、図１１に示した第１実施形態の変形例と同様、発光層１５、２０、２５中に蓄光物質１７を混入させ、この蓄光物質１７で残光機能をもたせても良い。このようにすれば、紫外線発光素子３０を間歇的に発光させる時間間隔を長くすることができ、消費電力の低減化を図ることができる。
また、上記第４実施形態では、紫外線発光素子３０を見切り部材１２の１２時側と６時側との２か所に設けたが、３か所以上に不等間隔または等間隔で設けても良い。
さらに、上記第４実施形態では、紫外線発光素子３０を見切り部材１２の上部に配置した場合について述べたが、これに限らず、例えば図１８（ａ）または図１８（ｂ）に示すように紫外線発光素子３０を見切り部材１２に配置しても良い。
【００５７】
すなわち、図１８（ａ）に示した変形例のように、見切り部材１２を透明な材料で形成し、その内部に凹部３２を下側に開放させて設け、この凹部３２内に紫外線発光素子３０を文字板５の切欠き部５ａを通して配置し、この紫外線発光素子３０で発生した紫外線が見切り部材１２を透過して文字板５の上側に照射するように構成しても良い。また、図１８（ｂ）に示した変形例のように、見切り部材１２と腕時計ケース１の内面との間に空間部３３を設けると共に、見切り部材１２の下端部と文字板５の上面との間に隙間Ｓを設け、空間部３３内に紫外線発光素子３０を文字板５の切欠き部５ａを通して配置し、この紫外線発光素子３０で発生した紫外線が見切り部材１２と文字板５の間の隙間Ｓを通して文字板５の上側に照射するように構成しても良い。このようないずれの構造においても、第４実施形態と同様の作用効果があるほか、特に各見切り部材１２により紫外線発光素子３０を確実に保護することができる。
【００５８】
さらに、上記第４実施形態およびその各変形例では、紫外線発光素子３０で発生した紫外線が直接、文字板５や指針１１に照射するように構成されているが、これに限らず、例えば図１９に示すように、紫外線発光素子３０からの紫外線の進行方向に位置する時計ガラス３の下面に反射部３４を設け、この反射部３４で紫外線発光素子３０からの紫外線を反射させて文字板５や指針１１に照射するように構成しても良い。このような構造では、反射部３４で紫外線が反射させるので、その分、紫外線発光素子３０からの紫外線を効率良く文字板５や指針１１に照射することができる。
【００５９】
［第５実施形態］
次に、図２０を参照して、この発明を腕時計に適用した第５実施形態について説明する。この場合にも、図１〜図１１に示された第１実施形態およびその各変形例と同一部分に同一符号を付して説明する。
この腕時計は、時計モジュール４０がデジタル機能を備えた構造で、これ以外は第１実施形態とほぼ同じ構造になっている。
すなわち、時計モジュール４０は、時刻などの情報を表示する反射型の液晶表示装置４１を備え、第１実施形態と同様、見切り部材１２を介して腕時計ケース１内に収納されている。
【００６０】
この見切り部材１２は、液晶表示装置４１の周縁部の上面と時計ガラス３の周縁部の下面とに当接した状態で、腕時計ケース１の内周面に設けられている。液晶表示装置４１は、図２０に示すように、上下一対の透明な電極基板４２、４３間に液晶（図示せず）を封入し、上側の電極基板４２の上面に紫外線透過型の上偏光板４４を設け、下側の電極基板４３の下面に紫外線透過型の下偏光板４５を設け、この下偏光板４５の下面全域に透明な発光層１５を設け、この発光層１５の下面に反射板４６を設けた反射型の構造になっている。この場合、上下の各偏光板４４、４５は、少なくとも可視光線領域の光と紫外線領域の光とを透過する構造になっている。すなわち、通常の偏光板は、紫外線領域の光をカットする紫外線カット処理が施されているが、この実施形態の各偏光板４４、４５は、紫外線カット処理が施されていない構造になっている。
【００６１】
また、発光層１５は、図７に示した第１実施形態と同じ構造で、紫外線領域の光（波長３５０〜４２０ｎｍ）に反応して有色発光し、紫外線領域の光が照射されないときに透明な状態を呈するものであり、図７に示したように、その層厚が波形状に変化して形成され、紫外線領域の光が照射されると、その層厚の変化に応じて発光色に濃淡が生じるように構成されている。
さらに、この腕時計ケース１内には、第４実施形態と同様、紫外線領域の光を発光する紫外線発光素子３０が設けられている。すなわち、この紫外線発光素子３０は、腕時計ケース１内の見切り部材１２の１２時側と６時側における各上部に設けられた凹部３１内に配置され、発光した紫外線領域の光を液晶表示装置４１の上面に斜め上方から照射するように構成されている。
【００６２】
このような腕時計によれば、紫外線領域の光がほとんど当らない屋内などの所では、液晶表示装置４１に入射した外部光が上側の偏光板４４、一対の透明な電極基板４２、４３、下側の偏光板４５を透過し、この透過した外部光が発光層１５を透過して反射板４６で反射されるので、この反射された光によって液晶表示装置４１の裏面側を照明することができ、これにより液晶表示装置４１に表示された時刻などの情報を見ることができる。また、紫外線領域の光を含む外部光が当る屋外などの所では、紫外線領域外の光、つまり可視光線領域の光によって液晶表示装置４１に表示された時刻などの情報を見ることができるほか、上側の偏光板４４と下側の偏光板４５とが紫外線透過型であるから、外部光に含まれている紫外線領域の光が発光層１５に照射され、この発光層１５が紫外線領域の光に反応して有色発光するので、この有色発光を背景にして液晶表示装置４１に表示された情報を見ることができる。このときには、発光層１５の層厚が波形状に変化していることにより、その層厚の変化に応じて発光色に濃淡が生じるので、発光層１５により発光色の濃淡を表現することができ、これにより装飾効果の高いものを得ることができる。
【００６３】
また、この腕時計では、紫外線領域の光がほとんど当らない暗い所で、紫外線発光素子３０を点灯させて紫外線領域の光を発生させると、上記と同様、上側の偏光板４４と下側の偏光板４５とが紫外線透過型であるから、紫外線領域の光が上側の偏光板４４、一対の透明な電極基板４２、４３、下側の偏光板４５を透過し、発光層１５に照射され、この発光層１５が紫外線領域の光に反応して有色発光するので、発光層１５を強制的に発光させることができ、これにより所望する場所で自由に発光層１５を発光させることができる。このため、発光層１５がバックライトとして機能するので、紫外線領域の光がほとんど当らない暗い所でも、発光層１５の有色発光により液晶表示装置４１に表示された情報を見ることができる。
【００６４】
このように、この腕時計によれば、液晶表示装置４１と時計ガラス３との間にその時計ガラス３の周縁部と対応して配置された見切り部材１２に紫外線発光素子３０を設けたので、第４実施形態と同様、紫外線発光素子３０が液晶表示装置４１の表示の邪魔にならず、しかも見切り部材１２により紫外線発光素子３０が衝撃などを受けて破損しないように保護することができ、また紫外線発光素子３０から紫外線を液晶表示装置４１と時計ガラス３との間に良好に照射させることができ、これにより発光層１５に紫外線領域の光を照射させて発光層１５を良好に発光させることができる。
【００６５】
なお、上記第５実施形態では、紫外線発光素子３０を見切り部材１２の１２時側と６時側との２か所に設けたが、これに限らず、３か所以上に等間隔で設けても良く、また必ずしも見切り部材１２の上部に紫外線発光素子３０を配置する必要はなく、図１８（ａ）に示した第４実施形態の変形例のように、透明な見切り部材１２内に設けられた凹部３２内に紫外線発光素子３０を配置し、この見切り部材１２を透して紫外線を液晶表示装置４１の上面側に照射させるように構成しても良い。また、図１８（ｂ）に示した第４実施形態の変形例のように、見切り部材１２と腕時計ケース１の内面との間の空間部３３内に紫外線発光素子３０を配置し、見切り部材１２と液晶表示装置４１との隙間Ｓから紫外線を液晶表示装置４１の上面側に照射させるように構成しても良い。このように構成しても、第５実施形態と同様の作用効果があるほか、特に各見切り部材１２により紫外線発光素子３０を確実に保護することができる。
【００６６】
また、上記第５実施形態では、発光層１５がその層厚を波形状に変化させた構造であるが、これに限らず、例えば第２実施形態のように、複数の発光膜２１〜２３を積層してなる発光層２０であっても良く、また第３実施形態のように、点状発光部２６をドット状に配列した発光層２５であっても良い。この場合にも、各発光層１５、２０、２５は、図１１に示した第１実施形態の変形例と同様、発光層１５、２０、２５中に蓄光物質１７を混入させ、この蓄光物質１７で残光機能をもたせても良い。このようにすれば、紫外線発光素子３０を間歇的に発光させる時間間隔を長くすることができ、消費電力の低減化を図ることができる。
【００６７】
また、上記第５実施形態およびその変形例では、液晶表示装置４１の下偏光板４５の下面に発光層１５、２０、２５を設けたが、これに限らず、液晶表示装置４１の上面に発光層１５、２０、２５を設けても良い。この場合には、表示装置４１に表示された時刻などの情報の邪魔にならない個所に発光層１５、２０、２５を部分的に設ければ良い。
さらに、上記第５実施形態では、液晶表示装置４１に発光層１５、２０、２５を設けたが、これに限らず、第１実施形態およびその変形例と同様、ベゼル２、時計ガラス３、見切り部材１２、および時計バンド９などの各時計部品に設けても良い。
【００６８】
［第６実施形態］
次に、図２１を参照して、この発明を腕時計に適用した第６実施形態について説明する。この場合には、図１７に示された第５実施形態およびその各変形例と同一部分に同一符号を付して説明する。
この腕時計は、時計モジュール４０が透過型の液晶表示装置５０を備え、この液晶表示装置５０の下側に紫外線発光装置５１を配置した構造で、これ以外は第５実施形態とほぼ同じ構造になっている。
【００６９】
すなわち、この液晶表示装置５０は、第５実施形態と同様、上下一対の透明な電極基板４２、４３間に液晶（図示せず）を封入し、上側の電極基板４２の上面に上偏光板４４を設け、下側の電極基板４３の下面に下偏光板４５を設け、この下偏光板４５の下面全域に透明な発光層１５を設けた構造になっている。この場合、発光層１５は、第１実施形態と同様、紫外線に反応して有色発光するものであり、その層厚が波形状に変化した構造になっている。
また、紫外線発光装置５１は、液晶表示装置５０の下面に対応する拡散板５２と、この拡散板５２の下側に配置された紫外線発光素子３０とからなり、この紫外線発光素子３０から発生した紫外線を拡散板５２で拡散させて液晶表示装置５０の下面の発光層１５にほぼ均一に照射するように構成されている。
【００７０】
このような腕時計によれば、紫外線領域の光が当る屋外などの所では、液晶表示装置５０の上面の発光層１５が有色発光してバックライトとして機能し、この有色発光を背景にして液晶表示装置５０に表示された情報を見えることができる。また、紫外線領域の光がほとんど当らない暗い所では、紫外線発光装置５１の紫外線発光素子３０を点灯させて紫外線を発生させると、その紫外線が拡散板５２で拡散されて液晶表示装置５０の下面の発光層１５にほぼ均一に照射され、これにより発光層１５が反応して有色発光するので、暗い所でも発光層１５がバックライトとして機能し、その有色発光を背景にして液晶表示装置５０に表示された情報を見ることができる。
【００７１】
このように、この腕時計では、紫外線発光装置５１の紫外線発光素子３０を点灯させて発光層１５を強制的に発光させることができるので、所望する場所で自由に発光層１５を発光させて液晶表示装置５０に表示された情報を見ることができる。また、発光層１５が発光したときには、発光層１５の層厚が波形状に変化していることにより、その層厚の変化に応じて発光色に濃淡が生じるので、発光層１５により発光色の濃淡を表現することができ、これにより装飾効果の高いものを得ることができる。
【００７２】
なお、上記第６実施形態の紫外線発光装置５１は、拡散板５２の下側に紫外線発光素子３０を設けた構造になっているが、これに限らず、液晶表示装置５０の下面に導光板を配置し、この導光板の外周部に紫外線発光素子３０を配置し、この紫外線発光素子３０からの紫外線を導光板で導いて導光板の上面から液晶表示装置５０の下面にほぼ均一に照射するように構成しても良い。
また、上記第６実施形態では、液晶表示装置５０の下面全体に発光層１５を設けたが、これに限らず、液晶表示装置５０に表示された時刻などの情報の邪魔にならない個所に部分的に設けても良い。また、紫外線発光装置５１のほかに液晶表示装置５０のバックライト装置を備えた構造であれば、液晶表示装置５０の上面に発光層１５を設けても良い。
【００７３】
さらに、上記第６実施形態では、発光層１５がその層厚を波形状に変化させた構造であるが、これに限らず、例えば第２実施形態のように、複数の発光膜２１〜２３を積層してなる発光層２０であっても良く、また第３実施形態のように、点状発光部２６をドット状に配列した発光層２５であっても良い。この場合にも、各発光層１５、２０、２５は、図１１に示した第１実施形態の変形例と同様、発光層１５、２０、２５中に蓄光物質１７を混入させ、この蓄光物質１７で残光機能をもたせても良い。このようにすれば、紫外線発光素子３０を間歇的に発光させる時間間隔を長くすることができ、消費電力の低減化を図ることができる。
【００７４】
また、上記第４〜第６実施形態およびその各変形例では、時計ガラス３を通して外部光に含まれている紫外線領域の光も入射するが、これを防ぐために、時計ガラス３の上面に紫外線領域の光を反射する紫外線反射膜を設けても良い。このようにすれば、時計ガラス３の紫外線反射膜が外部からの紫外線領域の光を反射するので、外部光によって腕時計ケース１内の発光層１５、２０、２５が反応して発光することがなく、紫外線発光素子３０からの紫外線のみに発光層１５、２０、２５を反応させて有色発光させることができるほか、紫外線反射膜が紫外線発光素子３０からの紫外線を腕時計ケース１内に反射するので、効率良く紫外線を発光層１５、２０、２５に照射させることができる。
【００７５】
［第７実施形態］
次に、図２２および図２３を参照して、この発明を携帯電話機に適用した第７実施形態について説明する。この場合にも、図２０に示された第５実施形態と同一部分には同一符号を付して説明する。
図２２は携帯電話機の外観斜視図、図２３はそのＡ−Ａ矢視における拡大断面図である。この携帯電話機は、図２２に示すように、合成樹脂製の機器ケース６０を備えており、この機器ケース６０は、上ケース６１と下ケース６２とを接合した構造になっている。
【００７６】
この機器ケース６０の上面、つまり上ケース６１の上面には、その上部側に設けられた開口部に保護ガラス６３が装着されていると共に、電話機能に必要な各種のキー釦６４が設けられている。また、この機器ケース６０の上部側の側面には、アンテナ６５が出没可能に取り付けられている。さらに、この機器ケース６０の内部には、図２３に示すように、電話機用のモジュール６６が収納されている。このモジュール６６は、液晶表示装置４１などの電話機能に必要な各種の部品を備えている。この液晶表示装置４１は、図２０に示された第５実施形態と同じ構造で、枠状部材または枠状部分である見切り部材６７を介して保護ガラス６３の下側に対応して配置されている。
【００７７】
すなわち、この液晶表示装置４１は、図２３に示すように、一対の透明な電極基板４２、４３の上下面に設けられた偏光板４４、４５のうち、下偏光板４５の下面全域に紫外線領域の光に反応して有色発光する発光層１５を設け、この発光層１５の下面に反射板４６を設けた構造になっている。この発光層１５は、第１実施形態と同様、その層厚が波形状に変化した構造になっている。見切り部材６７は、緩衝機能を有するもので、液晶表示装置４１の周縁部の上面に当接した状態で、機器ケース６０の内面に設けられている。この見切り部材６７には、凹部６８が対向して設けられており、これら凹部６８内には、紫外線を発生する紫外線発光素子３０がそれぞれ配置されている。この紫外線発光素子３０は、発生した紫外線を液晶表示装置４１の上面に斜め上方から照射するように構成されている。
【００７８】
このような携帯電話機によれば、紫外線領域の光がほとんど当らない屋内などの所では、液晶表示装置４１の上面の発光層１５が透明であるから、この発光層１５を通して液晶表示装置４１に表示された時刻などの情報を見ることができる。また、紫外線領域の光が当る屋外などの所では、液晶表示装置４１の上面の発光層１５が有色発光するので、この有色発光を背景にして液晶表示装置４１に表示された情報を見ることができる。このように発光層１５が発光したときには、発光層１５の層厚が波形状に変化していることにより、その層厚の変化に応じて発光色に濃淡が生じるので、発光層１５により発光色の濃淡を表現することができ、これにより装飾効果の高いものを得ることができる。
【００７９】
また、この携帯電話機では、紫外線領域の光がほとんど当らない暗い所で、紫外線発光素子３０を点灯させて紫外線を発生させると、その紫外線により発光層１５が反応して有色発光するので、各発光層１５を強制的に発光させることができ、所望する場所で自由に発光層１５を発光させることができる。このため、発光層１５がバックライトとして機能するので、紫外線領域の光がほとんど当らない暗い所でも、発光層１５の有色発光により液晶表示装置４１に表示された情報を見ることができる。
【００８０】
このように、この携帯電話機によれば、液晶表示装置４１と時計ガラス３との間にその時計ガラス３の周縁部と対応して配置された見切り部材１２に紫外線発光素子３０を設けたので、第５実施形態と同様、紫外線発光素子３０が液晶表示装置４１の表示の邪魔にならず、しかも見切り部材１２により紫外線発光素子３０が衝撃などを受けて破損しないように保護することができ、また紫外線発光素子３０から紫外線を液晶表示装置４１と時計ガラス３との間に良好に照射させることができ、これにより発光層１５に確実に且つ良好に紫外線を照射することができ、発光層１５を十分に発光させることができる。
【００８１】
なお、上記第７実施形態では、紫外線発光素子３０を見切り部材６７の対向する２か所に設けたが、これに限らず、３か所以上に等間隔で設けても良く、また必ずしも見切り部材６７の上部に紫外線発光素子３０を配置する必要はなく、図１８（ａ）に示した第５実施形態の変形例のように、透明な見切り部材６７内に凹部３２を設け、この凹部３２内に紫外線発光素子３０を配置しても良く、また図１８（ｂ）に示した第５実施形態の変形例のように、見切り部材６７と腕時計ケース１の内面との間の空間部３３内に紫外線発光素子３０を配置しても良い。このように構成しても、第７実施形態と同様の作用効果があるほか、特に各見切り部材１２により紫外線発光素子３０を確実に保護することができる。
【００８２】
また、上記第７実施形態では、液晶表示装置４１の下面全体に発光層１５を設けたが、これに限らず、液晶表示装置４１に表示された時刻などの情報の邪魔にならない個所に部分的に設けても良く、また必ずしも下面に設ける必要はなく、液晶表示装置４１の上面に発光層１５を設けても良い。
また、上記第７実施形態では、発光層１５がその層厚を波形状に変化させた構造であるが、これに限らず、例えば第２実施形態のように、複数の発光膜２１〜２３を積層してなる発光層２０であっても良く、また第３実施形態のように、点状発光部２６をドット状に配列した発光層２５であっても良い。この場合にも、各発光層１５、２０、２５は、図１１に示した第１実施形態の変形例と同様、発光層１５、２０、２５中に蓄光物質１７を混入させ、この蓄光物質１７で残光機能をもたせても良い。このようにすれば、紫外線発光素子３０を間歇的に発光させる時間間隔を長くすることができ、消費電力の低減化を図ることができる。
【００８３】
また、上記第７実施形態およびその各変形例では、液晶表示装置４１が反射型の場合について説明したが、これに限らず、図２１に示した第６実施形態と同じ透過型の液晶表示装置５０を用いても良い。この場合には、液晶表示装置５０の下側に拡散板５２および紫外線発光素子３０からなる紫外線発光装置５１を設ければ良い。また、必ずしも紫外線発光素子３０を用いて発光層１５、２０、２５を発光させる必要はなく、外部光に含まれた紫外線領域の光のみで発光層１５、２０、２５を発光させるようにしても良い。
また、上記第７実施形態では、液晶表示装置４１に発光層１５、２０、２５を設けたが、これに限らず、機器ケース６０、保護ガラス６３、各種のキー釦６４、アンテナ６５、見切り部材６７などの各電話部品に設けても良い。
【００８４】
なおまた、上記第１〜第７実施形態およびその各変形例では、時計部品および電話部品に発光層１５、２０、２５を設けたが、各時計部品および電話部品が透明な部材であれば、紫外線領域の光に反応して有色発光する紫外線発光物質を混入させても良く、またこの紫外線発光物質と共に蓄光物質をも混入させても良い。例えば、図２４（ａ）に示すように、時計ガラス３または保護ガラス６３に紫外線発光物質や蓄光物質などの発光物質７０を混入させても良く、また図２４（ｂ）に示すように、見切り部材１２、６７が透明であれば、この見切り部材１２、６７に紫外線発光物質や蓄光物質などの発光物質７０を混入させても良い。
【００８５】
また、上記第１〜第７実施形態およびその各変形例では、腕時計または携帯電話機に適用した場合について述べたが、これに限らず、電子手帳、電子辞書、携帯端末、パソコン、印刷機などの各種の電子機器、自動車、計器類などの各種の機器、または、それらの各部品に広く適用することができる。
また、上記第１〜第７実施形態およびその各変形例では、紫外線発光素子を保護または緩衝するために枠状部材または見切り部材に当該紫外線発光素子を設けた例について説明したが、枠状部材または見切り部材に代えて、時計ケースの窓部の位置に内側に突出する枠状部を設けて、この枠状部に紫外線発光素子を設けるようにしても良い。
【００８６】
［第８実施形態］
次に、図２５〜図２９を参照して、この発明を電子腕時計に適用した第８実施形態について説明する。この場合には、図１６〜図２０に示された第４、第５実施形態と同一部分に同一符号を付して説明する。
この電子腕時計は、腕時計ケース１内にアナログ機能とデジタル機能との両方を備えた時計モジュール８０を収納し、この腕時計ケース１内に紫外線発光素子８１を設け、且つ腕時計ケース１に装着された窓部に相当する時計ガラス３の下面に紫外線反射膜８２を設けた構造で、これ以外は第４、第５実施形態とほぼ同じ構造になっている。
【００８７】
この場合、腕時計ケース１の外周部には、ベゼル２が腕時計ケース１の上部を覆って設けられている。このベゼル２と腕時計ケース１の上部との間には、ステンレスなどの金属リング２ａが設けられており、ベゼル２の外周部には、ステンレスなどの金属製のベゼルリング２ｂが取り付けられている。また、時計ガラス３は、腕時計ケース１の上部にパッキン４を介して装着されており、腕時計ケース１の下面には、裏蓋７が防水リング８を介して取り付けられている。時計モジュール８０は、アナログ機能とデジタル機能とを搭載するハウジング８３を備え、このハウジング８３が金属製の補強枠８４内に見切り部材１２を介して収納され、この状態で腕時計ケース１内に収納されている。
【００８８】
この時計モジュール８０のアナログ機能は、第４実施形態と同様、文字板５の上方に指針軸１０が突出し、この突出した指針軸１０の上端部に取り付けられた時針、分針などの指針１１が運針するように構成されている。この場合、文字板５は、円形状の平板で、その中心部に指針軸１０が挿入する貫通孔１３が設けられていると共に、その上面における外周縁に時字１４が設けられているほか、表示用の開口部８５が設けられている。また、この文字板５の上面の所定個所（マーク部分）、時字１４の上面、指針１１の上面、および見切り部材１２の表面には、それぞれ発光層１５が設けられている。
【００８９】
また、時計モジュール８０のデジタル機能は、時刻などの情報を表示する反射型の液晶表示装置８６を備え、この液晶表示装置８６が文字板５の表示用の開口部８５の下側に対応して配置されている。この液晶表示装置８６は、図２７に示すように、上下一対の透明な電極基板４２、４３間に液晶（図示せず）を封入してなる液晶セル８７の上面に紫外線領域の光をも透過する上偏光板４４を設け、液晶セル８７の下面に紫外線領域の光をも透過する下偏光板４５を設け、この下偏光板４５の下側に反射板４６を設け、この反射板４６の上面に発光層１５を設けた第５実施形態と同じ反射型の構造になっている。この場合にも、上下の各偏光板４４、４５は、第５実施形態と同様、少なくとも可視光線領域の光と紫外線領域の光との両方を透過するもので、通常の偏光板に紫外線カット処理を施していない構造になっている。
【００９０】
紫外線発光素子８１は、波長が３５０〜４００ｎｍ、好ましくは３５０〜３８０ｎｍの近紫外線（ＵＶ−Ａ）を発光するブラックライトと呼ばれる紫外線発光ダイオード（ＬＥＤ）などの発光素子で構成されている。この紫外線発光素子８１は、腕時計ケース１内における保護部材または緩衝部材としての機能も兼備している見切り部材１２の３時側と９時側における各上部に設けられた空間部である凹部３１内に配置されている。すなわち、この紫外線発光素子８１は、見切り部材１２と時計ガラス３との間に位置し、これにより文字板５および指針１１よりも上方に配置されている。
【００９１】
また、この紫外線発光素子８１は、一対の電極板８８を備え、これら一対の電極板８８が見切り部材１２を突き抜けて文字板５の挿入孔８９に挿入され、この挿入された一対の電極板８８の各下端部がハウジング８３内の回路基板８９に設けられた接続用の一対の接点ばね９０にそれぞれ弾接し、これにより回路基板８９と電気的に接続されている。すなわち、接続用の一対の接点ばね９０は、それぞれＬ字状に折り曲げられた板ばねであり、その上部が逆Ｕ字状に折り曲げられ、この折り曲げられた下端部が紫外線発光素子８１の各電極板８８の一面に上下方向に移動可能に弾接するように構成されている。このため、紫外線発光素子８１は、腕時計ケース１が外部から衝撃を受けても、その衝撃を電極板８８と接点ばね９０との弾接によって吸収するように構成されている。
【００９２】
時計ガラス３の下面の紫外線反射膜８２は、腕時計ケース１内に配置された紫外線発光素子８１で発光した紫外線領域の光を反射し、これ以外の光を透過すると共に、時計ガラス３から入射する外部光のうち、紫外線領域の光を遮断し、これ以外の光を透過する透明な膜であり、図２８に示すように、材質の異なる第１、第２蒸着層９１、９２を交互に積層した構造になっている。すなわち、この紫外線反射膜８２は、第１蒸着層９１が酸化チタン（TiO２）や窒化チタン（TiN）などの金属からなり、第２蒸着層９２が酸化ケイ素（SiO２）や窒化ケイ素（Si３N４）などの物質からなり、時計ガラス３の下面に第２蒸着層９２を蒸着によって成膜し、この第２蒸着層９２の下面に第１蒸着層９１を蒸着によって成膜し、この第１蒸着層９１の下面に再び第２蒸着層９２を成膜し、この成膜作業を順次繰り返すことにより、第１、第２蒸着層９１、９２が全部で２２層程度に積層された構造になっている。
【００９３】
この場合、第１蒸着層９１が酸化チタン（TiO２）で形成され、第２蒸着層９２が酸化ケイ素（SiO２）で形成された構造であれば、膜強度が強く、しかも酸化チタンの第１蒸着層９１が伸縮応力に対し強く、酸化ケイ素の第２蒸着層９２が圧縮応力に強いため、これらの相乗効果によってクラックに対する強度がきわめて強くなり、応力の偏りによって膜にひび割れが発生するのを防げる。また、この第１、第２蒸着層９１、９２との積層数は、１８層〜２５層程度で、好ましくは２２層で構成されている。また、この紫外線反射膜８２は、全体の厚みが１．０７５μｍ程度で、第１、第２蒸着層９１、９２の各厚みの平均値が０．０４９μｍ程度と薄く形成されている。
【００９４】
このような紫外線反射膜８２は、紫外線発光素子８１で発光した紫外線領域の光を７０％〜９０％反射し、時計ガラス３から入射する外部の紫外線領域の光のうち、波長が３００ｎｍ以下の光を９０％以上遮断し、好ましくは波長が４００ｎｍ以下の光を９８％程度遮断するように構成されている。また、この紫外線反射膜８２が形成された時計ガラス３は、これに垂直に入射する紫外線領域外の光、例えば可視光線領域（波長が４４０ｎｍ〜７２０ｎｍの範囲）の光の透過率が９２％以上で、その平均値が９３．５％以上と高く、紫外線反射膜８２が設けられていない場合に比べて透過率が高くなるように構成されている。
【００９５】
一方、文字板５、時字１４、指針１１、見切り部材１２、および液晶表示装置８６の反射板４６にそれぞれ設けられた発光層１５は、第１実施形態と同様、紫外線領域の光に反応して可視光線領域の光で有色発光し、紫外線領域の光が照射されないときに透明な状態を呈するものである。すなわち、この発光層１５は、インク中の顔料に含まれている添加剤が紫外線領域の光のエネルギを吸収することにより、基底状態から高エネルギ状態に電子が移行し、この電子が安定したエネルギ準位に戻ろうとした際に発光するものであり、その発光色（発光波長）は、顔料から発せられる波長で、顔料によって異なる。このため、この発光層１５の発光色は、青、緑（黄色）、赤を基本として、その色バリエーションが１０〜１３種類ある。この場合、発光層１５の発光色は、文字板５、時字１４、指針１１、見切り部材１２、および液晶表示装置８６の反射板４６とも全て同じ色であっても良いが、時刻を視認しやすくするために、少なくとも文字板５と指針１１とが異なる色で発光することが望ましい。
【００９６】
この場合、各発光層１５のうち、特に時字１４および見切り部材１２に設けられた各発光層１５は、紫外線発光素子８１から遠ざかるに従って発光量が次第に多くなるように構成されている。例えば、時字１４の各発光層１５は、紫外線発光素子８１から遠ざかるに従って発光する光の波長を次第に短くすることにより、発光量を異ならせている。すなわち、紫外線領域の光の照射量が一定であれば、発光層１５で発光する光の波長が長いと発光量が少なく、波長が短いと発光量が多くなり、これにより紫外線発光素子８１の近傍では発光層１５の発光色が波長の長い赤色系で、紫外線発光素子８１から遠ざかるに従って、発光層の発光色が次第に波長の短くなる緑色系から青色系の順で発光するように構成されている。
【００９７】
ところで、この電子腕時計は、図２９に示すような寸法で形成されている。すなわち、腕時計ケース１の外形寸法は約４１．０ｍｍで、その内部の幅が約２８．６ｍｍ、腕時計ケース１の上部の内径が約２７．５ｍｍ、時計ガラス３の外径が約２６．５ｍｍ、時計ガラス３の上面から裏蓋７の下面までの厚みが約１２．８５ｍｍ、時計ガラス３の下面と文字板５の上面との間隔が約２．４５ｍｍ、文字板５の厚みが約０．６ｍｍ、液晶表示装置８６の厚み、つまり文字板５の下面からハウジング８３内の回路基板８９までの間隔が約２．３ｍｍである。また、この腕時計ケース１の外側面から指針軸１０の中心までの距離が約２１．２ｍｍで、指針１１のうち、時針の長さが約７．５ｍｍ、分針および秒針の長さが約１０．５ｍｍ、指針軸１０の中心から紫外線発光素子８１までの距離が約１１．８５ｍｍ、紫外線発光素子８１の発光中心部から文字板５までの高さが約１．６５ｍｍ、文字板５の下面から接点ばね９０の上端部までのクリアランスが約０．５ｍｍである。なお、このような寸法は、第１〜第７実施形態およびその各変形例においても、ほぼ同じである。
【００９８】
このような電子腕時計よれば、屋外などの明かる所では、腕時計ケース１の外部から時計ガラス３に入射する外部光のうち、紫外線領域の光が時計ガラス３に設けられた紫外線反射膜８２によって遮断されるので、紫外線領域の光のうち、特に波長の短い中紫外線（ＵＶ−Ｂ）や遠紫外線（ＵＶ−Ｃ）などの有害な紫外線領域の光が腕時計ケース１内に入射するのを防ぐことができ、これにより液晶表示装置８６の液晶層が紫外線によって劣化するのを防止することができる。また、時計ガラス３に入射する外部光のうち、紫外線領域外の外部光、例えば可視光線領域の光は、紫外線反射膜８２を透過して腕時計ケース１内に入射するので、この入射した光によって通常の腕時計と同様に時刻を知ることができる。
【００９９】
このときには、文字板５、時字１４、指針１１、見切り部材１２、および液晶表示装置８６の反射板４６にそれぞれ設けられた各発光層１５は、透明な状態を呈しているので、各発光層１５によって文字板５、時字１４、指針１１、見切り部材１２、および液晶表示装置８６の各時計部品が視認性の影響を受けることがなく、各時計部品をそのまま見ることができる。このため、文字板５、時字１４、および指針１１によって時刻を知ることができる。また、液晶表示装置８６は、文字板５の表示用の開口部８５を通して紫外線領域以外の光が入射し、この入射した光が上偏光板４４、液晶セル８７、および下偏光板４５を透過し、この透過した光がさらに発光層１５を透過して反射板４６で反射されるので、通常の液晶表示装置と同様、時刻などの情報を視認することができる。
【０１００】
また、屋内などの暗い所で紫外線発光素子８１を点灯させると、紫外線領域の光が腕時計ケース１内に放射され、この放射された紫外線領域の光が文字板５、時字１４、指針１１、見切り部材１２、および液晶表示装置８６の反射板４６にそれぞれ設けられた各発光層１５に照射され、これにより各発光層１５がそれぞれ紫外線領域の光に反応して可視光線領域の光で有色発光するので、暗い所でも時刻を知ることができる。この場合、紫外線発光素子８１で発光した光は、その一部の光が各発光層１５に直接照射されると共に、他の一部の光が時計ガラス３の下面に設けられた紫外線反射膜８２で反射されて各発光層１５に間接的に照射される。このため、紫外線発光素子８１で発光した紫外線領域の光が時計ガラス３を透過して外部に放出されることがないので、紫外線発光素子８１で発光した紫外線領域の光をほとんど損失することがなく、効率良く各発光層１５に照射することができ、これにより各発光層１５を十分に発光させることができる。
【０１０１】
このときには、時字１４および見切り部材１２に設けられた発光層１５は、紫外線発光素子８１から遠ざかるに従って発光量が次第に多くなるように、例えば紫外線発光素子８１から遠ざかるに従って発光層１５で発光する光の波長を次第に短くして発光量を異ならせているので、紫外線発光素子８１の近傍では発光層１５が波長の長い赤色系で発光し、紫外線発光素子８１から遠ざかるに従って、発光層が次第に波長の短くなる緑色系から青色系の順で発光する。これにより、紫外線発光素子８１の近傍の発光層１５では、紫外線領域の光の照射量が多くても発光量が少なく、紫外線発光素子８１から遠ざかるに従って紫外線領域の光の照射量が少なくても、発光層１５による発光量が多くなる。このため、紫外線発光素子８１の近傍であっても、また紫外線発光素子８１から離れていても、ほぼ均一な明るさで発光させることができると共に、各発光層１５によって発光する光を色分けすることができ、これにより装飾的にもデザイン的にも好ましいものを得ることができる。
【０１０２】
また、このときには、紫外線発光素子８１で発光した紫外線領域の光が文字板５の表示用の開口部８５を通して液晶表示装置８６に入射し、この紫外線領域の光が紫外線透過型の上偏光板４４、液晶セル８７、および紫外線透過型の下偏光板４５を透過し、この透過した光が反射板４６上に設けられた発光層１５に照射されるので、この発光層１５が紫外線領域の光に反応して可視光線領域の光で有色発光し、この可視光線領域の光が液晶セル８７のバックライトとして作用し、液晶セル８７を照明することができ、これにより時刻などの情報を視認することができる。この場合、液晶表示装置８６は、上偏光板４４および下偏光板４５が紫外線透過型であるため、紫外線領域の光が透過して液晶セル８７の液晶層に照射されるが、紫外線発光素子８１による発光時間が短いため、長期間使用しても液晶層はほとんど劣化することがない。
【０１０３】
このように、この電子腕時計によれば、液晶表示装置８６の上偏光板４４と下偏光板４５が紫外線透過型であるから、紫外線領域の光を含む光が上偏光板４４、液晶セル８７、および下偏光板４５を透過し、この透過した光のうち、紫外線領域外の光、例えば可視光線領域の光が反射板４６の発光層１５を透過して反射板４６で反射されるので、この反射された光によって液晶セル８７を照明することができ、また紫外線領域の光が発光層１５に照射されると、この紫外線領域の光に発光層が反応して有色発光するので、この発光層の有色発光により液晶セル８７を照明することができ、このため液晶表示装置８６に入射する光が紫外線領域外の可視光線領域などの光であっても、また紫外線領域の光であっても、良好に液晶セル８７を照明することができる。
【０１０４】
また、この電子腕時計では、紫外線発光素子８１を発光させると、その紫外線領域の光が腕時計ケース１内に放射され、その一部の光が文字板５、指針１１、見切り部材１２、および液晶表示装置８６の反射板４６にそれぞれ設けられた各発光層１５に直接照射されると共に、他の一部の光が時計ガラス３の下面に設けられた紫外線反射膜８２で反射されて各発光層１５に照射されるので、紫外線発光素子８２で発光した紫外線領域の光を損失することなく効率良く各発光層１５に照射させることができ、これにより各発光層１５を十分に発光させることができる。
【０１０５】
さらに、この電子腕時計では、紫外線反射膜８２が材質の異なる第１、第２蒸着層９１、９２を交互に積層させた構造であるから、第１、第２蒸着層９１、９２の積層数、第１、第２蒸着層９１、９２の各層厚を適宜選択することにより、紫外線領域の光の反射率や紫外線領域外の光の透過率を最適に設定することができる。例えば、第１、第２蒸着層９１、９２の積層数を多くすると、紫外線領域の光の反射率が高くなり、また第１、第２蒸着層９１、９２の層厚を厚くしても、紫外線領域の光の反射率が高くなるので、これらを組み合わせることにより最適な反射率を得ることができる。
【０１０６】
この場合、特に第１、第２蒸着層９１、９２の積層数を２２層に形成し、その全体の厚みを１．０７５μｍ程度に形成することにより、紫外線領域外の光、例えば可視光線領域の光を９２％以上透過し、紫外線発光素子８１からの紫外線領域の光を７０％〜９０％反射し、且つ腕時計ケース１の外部から時計ガラス３に入射する紫外線領域の光のうち、３００ｎｍ以下の波長の光を９０％以上遮断し、好ましくは４００ｎｍ以下の波長の光を９８％程度遮断するように構成することができる。このため、紫外線発光素子８１で発光した紫外線領域の光を効率良く反射して十分に発光層１５に照射することができ、また外部からの紫外線領域の光をほぼ確実にカットすることができ、外部光に含まれている波長の短い有害な紫外線領域の光、例えば中紫外線（ＵＶ−Ｂ）や遠紫外線（ＵＶ−Ｃ）が腕時計ケース１内に入射するのを防ぎ、液晶表示装置８６の液晶層の劣化を防ぐことができ、これにより液晶表示装置８６の耐久性を向上させることができる。
【０１０７】
なお、上記第８実施形態では、紫外線発光素子８１を時計ガラス３の下面に接近させた状態で見切り部材１２の凹部３１内に配置し、これにより紫外線発光素子８１を文字板５および指針１１の上方に配置させたが、これに限らず、例えば図１８（ａ）または図１８（ｂ）に示すように、紫外線発光素子８１を配置しても良い。すなわち、図１８（ａ）に示した変形例では、見切り部材１２を透明な材料で形成し、この透明な見切り部材１２の内側下部に紫外線発光素子８１を配置した構造になっている。また、図１８（ｂ）に示した変形例では、見切り部材１２の下側に紫外線発光素子８１を配置し、見切り部材１２と文字板５との間に隙間Ｓを設け、この隙間Ｓから紫外線発光素子８１で発光した紫外線領域の光を文字板５の上方に放射するように構成されている。これらのいずれの場合にも、紫外線発光素子８１は文字板５と指針１１との間に位置するように配置されているので、時計ガラス３に設けられた紫外線反射膜８２で紫外線領域の光が反射されるので、第８実施形態と同様の作用効果がある。
【０１０８】
また、上記第８実施形態では、時計ガラス３の下面に紫外線反射膜８２を設けたが、これに限らず、時計ガラス３の上面に設けても良い。また、この紫外線反射膜８２は、必ずしも蒸着層を積層させた構造である必要はなく、例えば透明な樹脂シート中に紫外線を反射する紫外線反射剤を混入させた構造でも良く、また時計ガラス中に紫外線を反射する紫外線反射剤を混入させたものでも良い。このようないずれの構造でも、紫外線反射剤の混入量を適宜調節して、紫外線領域の光の反射率および紫外線領域外の光の透過率を最適な状態に設定することにより、上記第８実施形態と同様の作用効果を得ることができる。
【０１０９】
さらに、上記第８実施形態では、紫外線発光素子８１から遠ざかるに従って発光層１５の発光量が次第に多くなるように、例えば紫外線発光素子８１から遠ざかるに従って発光層１５で発光する可視光線領域の光の波長が次第に短くなるように構成したが、これに限らず、紫外線発光素子８１から遠ざかるに従って発光層１５の層厚が次第に厚くなるように形成しても良く、また発光層１５を図１３に示すようなドット状に設け、そのドット密度が紫外線発光素子８１から遠ざかるに従って次第に高くなるように形成しても良い。このように構成しても、発光層１５が紫外線発光素子８１から遠ざかっても、ほぼ均一な明るさで発光させることができる。
【０１１０】
なおまた、上記第８実施形態では、電子機器として、電子腕時計に適用した場合について述べたが、これに限らず、例えば図２２および図２３に示した第７実施形態と同様、携帯電話機にも適用することができるほか、電子手帳、電子辞書、携帯端末、パソコン、印刷機などの各種の電子機器、自動車、計器類などの各種の機器、または、それらの各部品に広く適用することができる。
【図面の簡単な説明】
【０１１１】
【図１】この発明を腕時計に適用した外観側面図。
【図２】図１の腕時計ケースの拡大平面図。
【図３】図１の腕時計の内部構造を示した要部の拡大断面図。
【図４】図３の時計ガラスの平面図。
【図５】図３の文字板の拡大平面図。
【図６】図３の指針の拡大平面図。
【図７】図５の文字板に設けられた発光層の拡大断面図。
【図８】（ａ）は文字板の上面全体に発光層を設けた図、（ｂ）は指針の上面の一部に発光層を設けた図。
【図９】時計ガラスおよび文字板の各下面および見切り部材の内面に発光層を設けた場合における腕時計の内部構造を示した要部の拡大断面図。
【図１０】時計ガラスを２枚のガラス板で構成し、その間に発光層を設けた場合の要部の拡大断面図。
【図１１】発光層中に蓄光物質を混入させた要部の拡大断面図。
【図１２】この発明を腕時計に適用した第２実施形態において、文字板上に積層構造の発光層を設けた要部の拡大断面図。
【図１３】この発明を腕時計に適用した第３実施形態において、文字板上に点状発光部をドット状に配列してなる発光層を設けた要部の拡大断面図。
【図１４】図１３の文字板上の発光層に紫外線領域の光を当てた状態の平面図。
【図１５】時計部品である文字板の上面にアンダーコート膜を介して発光層を設け場合の要部の拡大断面図。
【図１６】この発明を腕時計に適用した第４実施形態における内部構造を示した要部の拡大断面図。
【図１７】図１６の腕時計の拡大平面図。
【図１８】（ａ）は透明な見切り部材内に紫外線ランプを配置した構造を示した要部の拡大断面図、（ｂ）は見切り部材と腕時計ケースの内面との間に設けられた空間部内に紫外線ランプを配置して見切り部材と文字板５との隙間から紫外線を照射させる構造を示した要部の拡大断面図。
【図１９】時計ガラスの下面に設けられた反射面で紫外線ランプからの紫外線を反射させる構造を示した要部拡大断面図。
【図２０】この発明を腕時計に適用した第５実施形態における内部構造を示した要部の拡大断面図。
【図２１】この発明を腕時計に適用した第６実施形態における内部構造を示した要部の拡大断面図。
【図２２】この発明を携帯電話機に適用した第７実施形態を示した外観斜視図。
【図２３】図２２のＡ−Ａ矢視における拡大断面図。
【図２４】（ａ）は時計ガラスまたは保護ガラスに発光物質を混入させた場合の要部の拡大断面図、（ｂ）は透明な見切り部材に発光物質を混入させた場合の要部の拡大断面図。
【図２５】この発明を腕時計に適用した第８実施形態の拡大正面図。
【図２６】図２５のＢ−Ｂ矢視における拡大断面図。
【図２７】図２６の液晶表示装置を分解して示した拡大断面図。
【図２８】図２６の時計ガラスにおける紫外線反射膜の拡大断面図。
【図２９】図２６における各部分の寸法を示した断面図。
【符号の説明】
【０１１２】
１  腕時計ケース
３  時計ガラス
５  文字板
６、４０、８０  時計モジュール
１１  指針
１２、６７  見切り部材
１５、２０、２５  発光層
１７  蓄光物質
２１〜２３  第１〜第３発光膜
２６  点状発光部
３０、８１  紫外線発光素子
３１、３２  凹部
３３  空間部
４１、５０、８６  液晶表示装置
４２、４３  透明な電極基板
４４  上偏光板
４５  下偏光板
４６  反射板
５１  紫外線発光装置
６０  機器ケース
６３  保護ガラス
６６  モジュール
８２  紫外線反射膜
８７  液晶セル
９１  第１蒸着層
９２  第２蒸着層
【図１】
2007286075.tif 000003
【図２】
2007286075.tif 000004
【図３】
2007286075.tif 000005
【図４】
2007286075.tif 000006
【図５】
2007286075.tif 000007
【図６】
2007286075.tif 000008
【図７】
2007286075.tif 000009
【図８】
2007286075.tif 000010
【図９】
2007286075.tif 000011
【図１０】
2007286075.tif 000012
【図１１】
2007286075.tif 000013
【図１２】
2007286075.tif 000014
【図１３】
2007286075.tif 000015
【図１４】
2007286075.tif 000016
【図１５】
2007286075.tif 000017
【図１６】
2007286075.tif 000018
【図１７】
2007286075.tif 000019
【図１８】
2007286075.tif 000020
【図１９】
2007286075.tif 000021
【図２０】
2007286075.tif 000022
【図２１】
2007286075.tif 000023
【図２２】
2007286075.tif 000024
【図２３】
2007286075.tif 000025
【図２４】
2007286075.tif 000026
【図２５】
2007286075.tif 000027
【図２６】
2007286075.tif 000028
【図２７】
2007286075.tif 000029
【図２８】
2007286075.tif 000030
【図２９】
2007286075.tif 000031
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
透明保護部材が上部に装着された時計ケースと、
この時計ケース内に配置された時計モジュールと、
この時計モジュールと前記時計ケースとの間に前記時計ケースの周縁部に沿って設けられている枠状部材と、
この枠状部材の上部に設けられて紫外線領域の光を照射する紫外線発光素子と、
前記時計モジュールの上方位置に設けられた文字板と、
この文字板の中心から突出した指針軸の上部に設けられた指針と、
この指針の上部面に形成され、前記紫外線発光素子から照射された紫外線領域の光に反応して有色発光する発光層とを備えており、
前記枠状部材の上部のうち、互いに対向する位置には、当該枠状部材の中心に向かって開口する一対の凹部が設けられており、この凹部の高さ位置は前記指針の高さ位置よりも高い位置に設けられており、
前記紫外線発光素子はこの一対の凹部内に配置されていることを特徴とする時計。
【請求項２】
請求項１に記載の時計において、
前記一対の凹部は、１２時側の位置と６時側の位置に設けられていることを特徴とする時計。
【請求項３】
請求項１に記載の時計において、
前記発光層は、指針の上部面に形成されているほかに、前記文字板の上面に設けられていることを特徴とする時計。
【請求項４】
請求項１に記載の時計において、
前記紫外線発光素子の光は、前記透明保護部材の下面に配置した反射部材を介して前記発光層に照射されるようになっていることを特徴とする時計。
【手続補正３】
【補正対象書類名】明細書
【補正対象項目名】０００１
【補正方法】変更
【補正の内容】
【０００１】
この発明は、腕時計などの時計に関する。
【手続補正４】
【補正対象書類名】明細書
【補正対象項目名】０００５
【補正方法】変更
【補正の内容】
【０００５】
この発明の課題は、指針および発光層に良好に紫外線を照射することができる時計を提供することである。
【手続補正５】
【補正対象書類名】明細書
【補正対象項目名】０００７
【補正方法】変更
【補正の内容】
【０００７】
請求項１に記載の発明に係る時計（腕時計）は、
透明保護部材（時計ガラス３、保護ガラス６３）が上部に装着された時計ケース（腕時計ケース１、機器ケース６０）と、
この時計ケース内に配置された時計モジュール（時計モジュール６、４９、モジュール６６）と、
この時計モジュールと前記時計ケースとの間に前記時計ケースの周縁部に沿って設けられている枠状部材（見切り部材１２、６７）と、
この枠状部材の上部に設けられて紫外線領域の光を照射する紫外線発光素子（紫外線ランプ３０）と、
前記時計モジュールの上方位置に設けられた文字板（文字板５）と、
この文字板の中心から突出した指針軸の上部に設けられた指針（指針１１）と、
この指針の上部面に形成され、前記紫外線発光素子から照射された紫外線領域の光に反応して有色発光する発光層（発光層１５）とを備えており、
前記枠状部材の上部のうち、互いに対向する位置には、当該枠状部材の中心に向かって開口する一対の凹部（凹部３１、３１）が設けられており、この凹部の高さ位置は前記指針の高さ位置よりも高い位置に設けられており、
前記紫外線発光素子はこの一対の凹部内に配置されていることを特徴とする。
この発明によれば、時計モジュールと時計ケースとの間に時計ケースの周縁部に沿って設けられている枠状部材の上部のうち、互いに対向する位置に、当該枠状部材の中心に向かって開口する一対の凹部が設けられており、この凹部の高さ位置は指針の高さ位置よりも高い位置に設けられており、かつ、紫外線発光素子はこの一対の凹部内に配置されているので、紫外線発光素子から発光された紫外線を文字板および指針に斜め上方から照射させることが可能となるばかりでなく、発光層にも確実に且つ良好に紫外線を照射でき、発光層を十分に発光させることができる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】変更
【補正の内容】
【００２１】
以上説明したように、請求項１に記載の発明によれば、時計モジュールと時計ケースとの間に時計ケースの周縁部に沿って設けられている枠状部材の上部のうち、互いに対向する位置に、当該枠状部材の中心に向かって開口する一対の凹部が設けられており、この凹部の高さ位置は指針の高さ位置よりも高い位置に設けられており、かつ、紫外線発光素子はこの一対の凹部内に配置されているので、紫外線発光素子から発光された紫外線を文字板および指針に斜め上方から照射させることが可能となるばかりでなく、発光層にも確実に且つ良好に紫外線を照射でき、発光層を十分に発光させることができる。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】